(57)【要約】      （修正有）【課題】緩衝材を極力減らすことができるとともに、多品種の被梱包物を梱包するライン作業に適した梱包容器を提供する。【解決手段】被梱包物を収納する段ボール製の箱状の容器体からなる梱包容器１において、容器体２の内側の四隅近傍に、溝を備えた糊代部４、５等をそれぞれ形成し、その糊代部４、５等の溝に係止して固定される押さえ部材３を備え、容器体内に収納した被梱包物を、押さえ部材３で押さえて固定する。【選択図】図１
0003160273.tif 000002
【実用新案登録請求の範囲】
【請求項１】
被梱包物を収納する箱状の容器体からなる梱包容器において、
容器体の内側の四隅近傍にそれぞれ形成した糊代部と、
被梱包物を被蓋し前記糊代部に係止して固定されることにより被梱包物を押さえる押さえ部材とを備えることを特徴とする梱包容器。
【請求項２】
糊代部は、押さえ部材を係止する溝を形成することを特徴とする請求項１記載の梱包容器。
【請求項３】
押さえ部材は、容器体内に配置され得る寸法でかつ容器体の内径寸法よりも大きく形成されることを特徴とする請求項１又は２記載の梱包容器。
【請求項４】
押さえ部材は、容器体内に配置した状態において透過して被梱包物を視認することができる孔部を形成することを特徴とする請求項１から３の何れかに記載の梱包容器。
【考案の詳細な説明】
【技術分野】
【０００１】
本考案は、商品の物流において商品を梱包する段ボール等からなる梱包容器に係り、特に従来の合成樹脂製の緩衝材をなるべく使用せずに、環境に優しいリサイクル材を用いて緩衝効果を発揮させ、かつその使用量を極力減らすことができるとともに、梱包ラインにおいて容易に梱包することができる梱包容器に関するものである。
【背景技術】
【０００２】
従来、配送する品物を容器に梱包する際に、被梱包物よりも大きめの容器を用意し、これに被梱包物を収納するとともに、搬送中に被梱包物が容器内で移動して破損しないように、被梱包物と容器の隙間に各種緩衝材を入れることが行われている。その緩衝材の種類としては、発泡ポリスチレン製の成形した緩衝材、ポリエチレン製のシート状の気泡緩衝材、紙やコーンスターチを含有するバラ状緩衝材など数多くが存在している。
例えば、環境に優しいリサイクル可能な素材を用いた緩衝材として、古紙やパルプを細かく砕き、これを接着剤を用いて成形する紙製緩衝材が案出されている（特許文献１参照）。
【先行技術文献】
【特許文献】
【０００３】
【特許文献１】特開平５−２５４５６５号公報
【考案の概要】
【考案が解決しようとする課題】
【０００４】
しかしながら、上述した紙製緩衝材は、梱包ラインで同じ被梱包物を大量に梱包するのには効率的であるが、多種のサイズの異なる被梱包物を梱包する作業にあっては、形状や寸法が異なる被梱包物ごとに多種の専用の紙製緩衝材を用意する必要があり、そのために多数の成形型を作成することは手間もコストも多大となり困難であった。
そこで、多品種の被梱包物を梱包する梱包ラインにおいて、容器に収納する被梱包物の上からバラ状緩衝材やシート状緩衝材を手作業で詰めることが行われている。しかしながら、容器の隙間が大きい場合には、緩衝材をたくさん入れ、小さい場合には少し入れる、という目分量での手作業は時間と手間を要する上に、緩衝材は軽いことから容器から飛び出すおそれがあった。さらに、被梱包物の上に載せた緩衝材が邪魔になって、被梱包物が見えなくなってしまい、伝票に記載された被梱包物と、梱包したものとが一致しているか否かがすぐに判別できないという問題があった。
【０００５】
本考案の目的は、このような実情に鑑みてなされたものであり、緩衝材を極力減らすことができるとともに、多品種の被梱包物を梱包するライン作業に適した梱包容器を提供しようとするものである。
【課題を解決するための手段】
【０００６】
上記目的を達成するために、本考案は、被梱包物を収納する箱状の容器体からなる梱包容器において、容器体の内側の四隅近傍にそれぞれ形成した糊代部と、被梱包物を被蓋し前記糊代部に係止して固定されることにより被梱包物を押さえる押さえ部材とを備えることを特徴とする。
【０００７】
また、糊代部は、押さえ部材を係止する溝を形成することを特徴とする。
【０００８】
また、押さえ部材は、容器体内に配置され得る寸法でかつ容器体の内径寸法よりも大きく形成されることを特徴とする。
【０００９】
また、押さえ部材は、容器体内に配置した状態において透過して被梱包物を視認することができる孔部を形成することを特徴とする。
【考案の効果】
【００１０】
以上説明したように、本考案によれば、梱包に要する緩衝材を極力減らすことができるとともに、多品種の被梱包物を梱包するライン作業に適する梱包容器を提供することができる。
【図面の簡単な説明】
【００１１】
【図１】本考案の梱包容器の開蓋状態を示す斜視図である。
【図２】本考案の梱包容器における容器体を示す斜視図である。
【図３】本考案の梱包容器における押さえ部材を示す斜視図である。
【図４】本考案の梱包容器における容器体と押さえ部材の係止状態を示す部分拡大図である。
【図５】本考案の梱包容器における押さえ部材をセットする状態を示す説明図である。
【考案を実施するための形態】
【００１２】
以下、添付図面を参照しながら、本考案の梱包容器を実施するための形態を詳細に説明する。図１〜図５は、本考案の実施の形態を例示する図であり、これらの図において、同一の符号を付した部分は同一物を表わし、基本的な構成及び動作は同様であるものとする。
【００１３】
図１は、梱包容器１の開蓋した状態を示し、梱包容器１は段ボールからなる箱状の容器体２と、この容器体２内に取り付け取り外し自在に配置される、同じく段ボールからなる平板状の押さえ部材３とから構成されている。また、容器体２と押さえ部材３の素材としては、段ボールに限られるものではなく、厚紙、合成樹脂材などの板部材やシート部材であってもよいものである。
【００１４】
容器体２は、図２に示すごとく、例えば板状段ボールを抜き型で切り抜いて組み立てた蓋付きの箱であり、対向する短辺側の内側面における四隅にそれぞれ糊代部４、５、６、７を糊付けすることにより組み立てられている。
【００１５】
この４つの糊代部４、５、６、７には、それぞれ端辺から水平方向に３つの溝が上下方向にほぼ等間隔で形成されており、糊代部４には上から溝４ａ、４ｂ、４ｃ、糊代部５には上から溝５ａ、５ｂ、５ｃ、糊代部６には上から溝６ａ、６ｂ、６ｃ、糊代部７には上から溝７ａ、７ｂ、７ｃが形成されている。
この溝の幅径としては、例えば押さえ部材３の板厚が１〜３ｍｍ程度の場合には、３〜６ｍｍ程度とし、また、溝の奥行きとしては、容器体２の短辺側の内径が１２〜２０ｃｍ程度の場合には、１０ｍｍ程度とし、そして容器体２の大きさや、被梱包物に応じて、溝の幅径及び溝の間隔を適宜に設定するものである。
【００１６】
図３は、押さえ部材３を示し、容器体２同様に板状段ボールを抜き型で切り抜くなどすることにより成形されている。その長手方向の長さは、容器体２の長手方向の内径よりも若干長く設定されており、例えば約３０ｃｍの容器体２の内径に対して、３ｍｍ程度長くなるように設定されている、これは、押さえ部材３を容器体２内に突っ張らせた状態で設置することにより、押さえ部材３が移動しづらくなるためである。
そして、押さえ部材３の長手方向の中央には、一列に孔部８と凹欠部９が形成されるとともに、対向する長辺にもそれぞれ凹欠部９がほぼ等間隔で形成されている。押さえ部材３に孔部８と凹欠部９を形成することにより、通気性が増すとともに、被梱包物の上に押さえ部材３を載せても、孔を透過して被梱包物を視認することができるものである。さらに、孔部８の内径及び間隔を適宜に設定することにより、手指を孔部８に掛けて押さえ部材３を把持した状態で容器体２に対して容易に着脱することができるものである。
また、押さえ部材３の四隅には、容器体２の各糊代部の溝内に係止するために、糊代部の板厚を逃げるべく１〜２ｍｍ程度凹ませた段部１０、１１、１２、１３が形成されている。
【００１７】
図４は、押さえ部材３を容器体２内に設置した状態を示し、押さえ部材３の段部１０は、容器体２の糊代部４の上から３番目の溝４ｃに係止され、同じく段部１１は、糊代部５の上から３番目の溝５ｃに係止されている。
【００１８】
このような構成からなる本実施例に係る梱包容器の使い方を説明する。
図５に示すごとく、容器体２内に被梱包物１４を入れ、押さえ部材３の長手方向の一辺を、被梱包物１４の高さに合わせて容器体２の糊代部４、５の適宜な溝に差し込むように位置させる。次に、被梱包物１４を多少押し付けるようにしながら、押さえ部材３の長手方向の他辺を容器体２の糊代部６、７の溝に差し込む。これにより、被梱包物１４は押さえ部材３に上方向から押圧付勢されて、上下の隙間なく確実に容器体２内に固定される。
またこの状態において、押さえ部材３の上から最小限の緩衝材を容器体２内に入れて、より一層確実に被梱包物を堅固に梱包することとしてもよい。この場合は、押さえ部材３を用いたことにより、緩衝材の使用量を大きく削減することができるものである。
【００１９】
以上、本考案の梱包容器について、具体的な実施の形態を示して説明したが、本考案はこれらに限定されるものではない。当業者であれば、本考案の要旨を逸脱しない範囲内において、上記各実施形態における梱包容器の構成及び機能に様々な変更・改良を加えることが可能である。
【産業上の利用可能性】
【００２０】
本考案の梱包容器は、流通産業において有用に利用することができるものである。
【符号の説明】
【００２１】
１  梱包容器
２  容器体
３  押さえ部材
４、５、６、７  糊代部
８  孔部
９  凹欠部
１０、１１、１２、１３  段部
１４  被梱包物
【図１】
0003160273.tif 000003
【図２】
0003160273.tif 000004
【図３】
0003160273.tif 000005
【図４】
0003160273.tif 000006
【図５】
0003160273.tif 000007